(57)【要約】【課題】  ブロワモータを搭載した集塵機において、ブロワ冷却効果の確保と排気温度の上昇を防ぐことが出来る集塵機の提供を目的とする。【解決手段】  ブロワモータを搭載する集塵機であって、集塵機の仕事風導入口にエアシリンダを具備した切替ダンパを備え、該エアシリンダが固定されたエアシリンダ取付板に外気を取り入れる外気導入口が設けられることにより、切替ダンパによりダストを含んだ被集塵空気を吸引していない状態においても、外気導入口より外気が取り入れられ、ブロワ冷却用空気の取入れと排気温度の上昇を防ぐことができる。【選択図】  図２
2014030790.tif 000002
【特許請求の範囲】
【請求項１】
ブロワモータを搭載する集塵機であって、
モーター部とファン部を備え、このモーター部が外部から導入される冷却風により冷却されるブロアモーターと、
前記ブロアモーターのファン部によりダストを含んだ仕事風が通過するときダストを捕集する集塵用フィルターと、
前記ブロアモーター及び集塵用フィルターを収納するハウジングと、
前記ハウジング内の前記ブロアモーターのモーター部が配置された冷却風排気室と、
前記ハウジング内の前記ブロアモーターのファン部が配置され前記冷却風排気室と隔壁により区画された仕事風排気室と、
前記ハウジング内の前記集塵用フィルターが配置された仕事風導入室と、
前記ハウジングに設けられ外部から前記ブロアモーターのファン部を冷却する冷却風を導入するための冷却風導入口と、
前記ハウジングに設けられダストを含んだ仕事風を前記仕事風導入室に導入するための仕事風導入口と、
前記ハウジングに設けられ前記冷却風排気室内の冷却風を排気するための冷却風排気口と、
前記ハウジングに設けられ前記仕事風排気室内の仕事風を排気するための仕事風排気口と、
前記仕事風導入口の手前に設けられエアシリンダが備わった切替ダンパと、を有し、
前記エアシリンダが取付けられたエアシリンダ取付板に外気を取り入れる外気導入口が設けられた集塵機。
【請求項２】
前記切替ダンパは、円盤状のダンパ羽根が前記エアシリンダのロッドの先端に該ロッドに対して垂直に取付けられ、該ダンパ羽根の両面にパッキンが設けられた請求項１記載の集塵機。
【請求項３】
前記切替ダンパは、
前記エアシリンダの前記ロッドの延伸時に、前記エアシリンダ取付板に設けられた前記外気導入口が大気開放され、かつ、該切替ダンパに接続する吸引ダクトの吸引ダクト口が閉鎖され、
また、該エアシリンダの該ロッドの収縮時に、該外気導入口が閉鎖され、かつ、該吸引ダクト口が開放される、請求項１ないし２記載の集塵機。
【発明の詳細な説明】
【技術分野】
【０００１】
本発明は、集塵機に関する。より詳しくは、ブロワモータを搭載した集塵機におけるブロワ冷却効果の確保と排気温度の低減のための切替ダンパを備えた集塵機に関する。
【背景技術】
【０００２】
従来、各種小物の生産ラインにおいて、ワークに付着した削り屑やゴミ等を取り除く目的で特許文献１に示すブロワモータを搭載した小型の集塵機が生産ライン横に設置され、用いられる。このワークに対して集塵機からの気流の影響を生じさせたくない場合には、集塵機の運転・停止を起動スイッチの切替により気流の制御を行っている。しかし、ワークの生産サイクルタイムが短いなど高頻度に起動スイッチの切替が必要な場合は、例えばそれに対応した高頻度モータを用いる必要があるが、この場合イニシャルコストが大きくなること、また、ファンが完全に起動・停止するまでに時間を要することが問題となった。この問題を解決するために、集塵機手前に遮蔽ダンパを設けて遮蔽ダンパの開閉により吸引経路を遮断し起動スイッチの切替の代わりとしたが、吸引経路を遮断している時間が長いとブロワモータを搭載した集塵機においてブロワの冷却効果を十分に得られなくなるので、排気温度が上昇し周辺設備へ悪影響を与える恐れがあった。
【先行技術文献】
【特許文献】
【０００３】
【特許文献１】特開２０１２−１１５７９５号公報
【発明の概要】
【発明が解決しようとする課題】
【０００４】
本発明は、ブロワモータを搭載した集塵機のブロワ冷却効果の確保と排気温度の上昇を防ぐことができる集塵機の提供を目的とする。
【課題を解決するための手段】
【０００５】
上記の目的を達成するために、本発明は、ブロワモータを搭載する集塵機であって、モーター部とファン部を備え、このモーター部が外部から導入される冷却風により冷却されるブロアモーターと、ブロアモーターのファン部によりダストを含んだ仕事風が通過するときダストを捕集する集塵用フィルターと、ブロアモーター及び集塵用フィルターを収納するハウジングと、ハウジング内のブロアモーターのモーター部が配置された冷却風排気室と、ハウジング内のブロアモーターのファン部が配置され冷却風排気室と隔壁により区画された仕事風排気室と、ハウジング内の集塵用フィルターが配置された仕事風導入室と、ハウジングに設けられ外部からブロアモーターのファン部を冷却する冷却風を導入するための冷却風導入口と、ハウジングに設けられダストを含んだ仕事風を仕事風導入室に導入するための仕事風導入口と、ハウジングに設けられ冷却風排気室内の冷却風を排気するための冷却風排気口と、ハウジングに設けられ仕事風排気室内の仕事風を排気するための仕事風排気口と、仕事風導入口の手前に設けられエアシリンダが備わった切替ダンパと、を有し、エアシリンダが取付けられたエアシリンダ取付板に外気を取り入れる外気導入口が設けられていることを特徴としている。
このように構成された本発明においては、切替ダンパによりダストを含んだ被集塵空気を吸引していない状態においても、外気導入口より外気が取り入れられ、ブロワ冷却用空気の取入れと排気温度の上昇を防ぐことができる。
【０００６】
本発明において、切替ダンパは、円盤状のダンパ羽根がエアシリンダのロッドの先端にロッドに対して垂直に取付けられ、該ダンパ羽根の両面にパッキンが設けられている。
このように構成された本発明においては、ダンパ羽根の両面にパッキンが備えられているため、密閉性に優れた切替ダンパを提供できる。このことより、生産ライン上からの被集塵空気を完全に遮断でき、生産ラインのワークに対しての気流によって生じる悪影響を抑えることができる。
【０００７】
本発明において、切替ダンパは、エアシリンダのロッドの延伸時に、エアシリンダ取付板に設けられた外気導入口が大気開放され、かつ、切替ダンパに接続する吸引ダクトの吸引ダクト口が閉鎖され、また、エアシリンダのロッドの収縮時に、外気導入口が閉鎖され、かつ、吸引ダクト口が開放される動作をおこなう。
このように構成された本発明においては、エアシリンダのロッドの延伸・収縮という単純な動作により吸引経路の切替を行うことができる。
【発明の効果】
【０００８】
本発明の集塵機によれば、単純かつ安価な構造により、外気導入口より外気が取り入れられ、ブロワ冷却用空気の取り入れと排気温度の上昇を防ぐことができる。
【図面の簡単な説明】
【０００９】
【図１】本発明における吸引経路“開”の状態の実施形態を示す縦断面図である。
【図２】本発明における吸引経路“閉”の状態の実施形態を示す縦断面図である。
【図３】本発明における切替ダンパの縦断面図である。
【図４】本発明における切替ダンパの斜視図である。
【発明を実施するための形態】
【００１０】
以下、図１を参照して、本発明の実施形態による集塵機について説明する。図１に示すように、本発明の実施形態による集塵機は、ダストを含んだ空気をダストと空気とに固気分離するための集塵機である。本実施形態による集塵機は、ダストを含んだ空気が通過するときダストを捕集する集塵用フィルタ２と、モータ部３ａおよびファン部３ｂを備えた冷却風導入型ブロワモータ３と、放熱フィン４ａを有する制御基板４と、これらの集塵用フィルタ２、ブロワモータ３、及び、制御基板４を収納するハウジング１と、このハウジング１に取り付けられた消音器９とを有する。
【００１１】
ハウジング１には、集塵用フィルター２が収納され且つ仕事風導入口５ａより仕事風が導入される仕事風導入室５と、冷却風導入型ブロワモータ３のファン部３ｂが収納され且つ仕事風排気口６ａより仕事風が排気される仕事風排気室６と、冷却風導入型ブロワモータ３のモータ部３ａが収納され且つ冷却風排気口７ａより冷却風が排気される冷却風排気室７と、制御基板４が収納され且つ冷却風導入口８ａより外部から冷却風が導入される冷却風導入室８が形成され、これらの仕事風導入室５、仕事風排気室６、冷却風排気室７、及び、冷却風導入室８は、それぞれ、隔壁により区画されている。また、ハウジング１の仕事風導入口５ａには、接続ダクト１１が取り付けられている。
【００１２】
本発明に用いられる切替ダンパ２０は、集塵機１０の仕事風導入口５ａに接続ダクト１１を介して切替ダンパ２０の側面で接続して設けられており、切替ダンパ２０の下面にはダストを含んだ被集塵空気（仕事風）を吸引する吸引ダクト３０が接続している。図３にこの切替ダンパの構造を示す。図３に示すように、切替ダンパ２０は、箱形状のダンパケーシング２５の上部の平板（エアシリンダ取付板２８）にエアシリンダ２１が設けられ、エアシリンダ２１に内蔵されたロッド２２がダンパケーシング２５内を上下に駆動し、ロッド２２の先端に円盤状のダンパ羽根２４がロッド２２に垂直に設けられており、ダンパー羽根２４の両面にパッキン２３が取付けられている。また、切替ダンパ２０の下面には吸引ダクト３０と接続する吸引ダクト口２７が設けられており、エアシリンダ取付板２８のエアシリンダ２１の近くに外気導入口２９が設けられている。
【００１３】
次に、本発明に用いられるブロワモータを搭載した集塵機１０の動作について説明する。本発明に用いられるブロワモータを搭載した集塵機１０は、ブロワモータ３を作動させることにより、仕事風導入口５ａを介して、ダストを含んだ被集塵空気、即ち仕事風を、仕事風導入室５に導入する。
【００１４】
仕事風導入室５に流入した仕事風は、集塵用フィルタ２を通過する際、その中に含まれるダストが集塵用フィルタ２により捕集され、清浄な空気となる。清浄な空気となった仕事風は、ブロワモータ３のファン部３ｂを通過し、仕事風排気として仕事風排気口６ａから消音器９ａ内に排気される。なお、仕事風排気がブロワモータ３のモータ部３ａに触れないように、ファン部３ｂを収納する仕事風排気室６とモータ部３ａを収納する冷却風排気室７は隔壁で仕切られている。これにより、モータ部３ａが仕事風排気の熱の影響を受けることを防ぐことができる。
【００１５】
一方、冷却風導入口８ａより、ブロワモータ３のモータ部３ａを冷却するための冷却風が集塵機外から導入される。導入された冷却風は、放熱フィン４ａを有する制御基盤４を通過してモーター部３ａ内に導入され、モータ部３ａを冷却した後冷却風排気口７ａから消音器内９ａに排気される。
【００１６】
吸引経路の“開閉”の切替は切替ダンパ２０によって行われ、吸引経路
“開”のとき、ロッド２２の収縮により、ダンパ羽根２４はエアシリンダ取付板２８の外気導入口２９を閉鎖する。この状態のときに、集塵機１０はダストを含んだ被集塵空気（仕事風）を吸引ダクト３０を通じて吸引・集塵する。吸引経路
“閉”のとき、ロッド２２を伸長により、ダンパー羽根２４は吸引ダクト口を閉鎖し、エアシリンダ取付板の外気導入口２９を開放する。この状態のとき、外気導入口２９より外気を導入することができ、集塵機１０の排気口より排出される排気温度の上昇を防ぐことができる。なお、図示していないが、切替ダンパによる吸引経路の切替は、生産ラインからの電気信号によって制御される。
【００１７】
（実施形態の作用・効果）
本発明の切替ダンパを用いた場合と、遮蔽ダンパを用いた場合との比較において、集塵機稼動時に吸引経路を閉じた場合における消音器内９ａの排気温度の結果を表１に示す。表1に示されるように、切替ダンパ用いて外気を取り入れることより、集塵機より排出される排気温度の上昇を防ぐことが確認された。
【００１８】
【表１】
2014030790.tif 000003
【符号の説明】
【００１９】
１      ハウジング
２      集塵用フィルタ
３      ブロワモータ
１０      集塵機
２０      切替ダンパ
２１      エアシリンダ
２２      ロッド
２３      パッキン
２４      ダンパ羽根
２５      ダンパケーシング
２７      吸引ダクト口
２８      エアシリンダ取付板
２９      外気導入口
３０      吸引ダクト
【図１】
2014030790.tif 000004
【図２】
2014030790.tif 000005
【図３】
2014030790.tif 000006
【図４】
2014030790.tif 000007